【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
第１の絶縁膜上の第１の電極と、前記第１の電極と接する第２の電極と、前記第２の電極上に形成された第２の絶縁膜と、前記第１の電極上の有機化合物層と、前記有機化合物層上の第３の電極とを有し、前記第２の絶縁膜の端部は、前記第２の電極の端部の外側に設けられ、前記有機化合物層の端部と重ならないことを特徴とする発光装置。
【請求項２】
第１の絶縁膜上の第１の電極と、前記第１の電極の端部と接する第２の電極と、前記第２の電極上に設けられ、該第２の電極の外側に端部が位置する第２の絶縁膜と、前記第１の電極上の有機化合物層と、前記有機化合物層上の第３の電極とを有し、前記有機化合物層の端部は、前記第２の絶縁膜の端部と重ならないことを特徴とする発光装置。
【請求項３】
第１の絶縁膜上の第１の電極と、
前記第１の電極と接続する第２の電極と、
前記第２の電極の外側に端部が位置し、前記第２の電極とエッチング選択比がとれる材料からなる膜と、
前記第２の電極とエッチング選択比がとれる材料からなる膜上のレジストと、
前記第１の電極上の有機化合物層と、
前記有機化合物層上の第３の電極とを有し、
前記第２の電極とエッチング選択比がとれる材料からなる膜の端部は、前記第２の電極の端部の外側に設けられ、前記有機化合物層の端部と重ならないことを特徴とする発光装置。
【請求項４】
第１の配線と第２の配線との間に設けられた第１の電極と、前記第１の電極に接続する第２の電極と、前記第１の電極上の有機化合物層と、前記有機化合物層上の第３の電極とを有し、前記有機化合物層と前記第３の電極とは、前記第１の配線及び前記第２の配線の内側に設けられていることを特徴とする発光装置。
【請求項５】
第１の絶縁膜上に形成された第１の配線と前記第１の配線上に設けられた第２の絶縁膜と、第２の配線と前記第２の配線上に設けられた第３の絶縁膜と、前記第１の配線と前記第２の配線との間に設けられた第１の電極と、前記第１の配線と接続する第１の電極と、前記第１の電極上の有機化合物層と、前記有機化合物層上の第３の電極とを有し、前記第２の絶縁膜の端部は前記第１の配線の外側に設けられ、前記第３の絶縁膜の端部は前記第２の配線の外側に設けられ、前記有機化合物層と前記第３の電極とは、前記第１の配線及び前記第２の配線の内側に設けられていることを特徴とする発光装置。
【請求項６】
第１の絶縁膜上に画素部が形成された発光装置において、第１の配線と第２の配線との間に設けられた第１の電極と、該第１の電極上に設けられた第１の有機化合物層と、該第１の有機化合物層上に設けられた第２の電極と、前記第２の配線と第３の配線との間に設けられた第３の電極と、該第３の電極上に設けられた第２の有機化合物層と、該第２の有機化合物層上に設けられた第４の電極とを有し、前記第２の電極と前記第４の電極とは、前記画素部の外縁部において連結されていることを特徴とする発光装置。
【請求項７】
第１の絶縁膜上に画素部が形成された発光装置において、第１の配線と第２の配線との間に設けられた第１の電極と、該第１の電極上に設けられた第１の有機化合物層と、該第１の有機化合物層上に設けられた第２の電極と、前記第１の配線及び第２の配線上に、当該配線の側部より端部が突出した第２の絶縁膜及び第３の絶縁膜とがそれぞれ設けられ、前記第２の配線と第３の配線との間に設けられた第３の電極と、該第３の電極上に設けられた第２の有機化合物層と、該第２の有機化合物層上に設けられた第４の電極と、前記第３の配線上に、当該配線の側部より端部が突出した第４の絶縁膜が設けられ、前記第１の有機化合物層は前記第２の絶縁膜及び第３の絶縁膜の端部と重ならないように設けられ、前記第２の有機化合物層は前記第３の絶縁膜及び第４の絶縁膜の端部と重ならないように設けられ、前記第２の電極と前記第４の電極とは、前記画素部の外縁部において連結されていることを特徴とする発光装置。
【請求項８】
第１の絶縁膜上に画素部が形成された発光装置において、前記画素部は、第１の配線と第２の配線との間に設けられた第１の電極と、該第１の電極上に設けられた第１の有機化合物層と、該第１の有機化合物層上に設けられた第２の電極と、前記第２の配線と第３の配線との間に設けられた第３の電極と、該第３の電極上に設けられた第２の有機化合物層と、該第２の有機化合物層上に設けられた第４の電極と、第１の配線上に当該配線の側部よりも端部が突出した第２の絶縁膜と、第２の配線上に当該配線の側部よりも端部が突出した第３の絶縁膜と、第３の配線上に当該配線の側部よりも端部が突出した第４の絶縁膜と、を有し、前記第１の有機化合物層の端部は、前記第２の絶縁膜及び第３の絶縁膜の端部と重ならないように設けられ、前記第２の有機化合物層は前記第３の絶縁膜及び第４の絶縁膜の端部と重ならないように設けられており、
前記画素部は、封止材により形成される密閉空間に設けられ、前記密閉空間の酸素及び水分の濃度は５０ｐｐｍ以下であることを特徴とする発光装置。
【請求項９】
第１の絶縁膜上に画素部が形成された発光装置において、前記画素部は、第１の配線と第２の配線との間に設けられた第１の電極と、該第１の電極上に設けられた第１の有機化合物層と、該第１の有機化合物層上に設けられた第２の電極と、前記第２の配線と第３の配線との間に設けられた第３の電極と、該第３の電極上に設けられた第２の有機化合物層と、該第２の有機化合物層上に設けられた第４の電極と、第１の配線上に当該配線の側部よりも端部が突出した第２の絶縁膜と、第２の配線上に当該配線の側部よりも端部が突出した第３の絶縁膜と、第３の配線上に当該配線の側部よりも端部が突出した第４の絶縁膜と、を有し、前記第１の有機化合物層の端部は、前記第２の絶縁膜及び第３の絶縁膜の端部と重ならないように設けられ、前記第２の有機化合物層は前記第３の絶縁膜及び第４の絶縁膜の端部と重ならないように設けられており、
前記画素部は、封止材により形成される密閉空間に設けられ、前記密閉空間の露点は−５０℃以下であることを特徴とする発光装置。
【請求項１０】
請求項８または請求項９において、前記密閉空間には窒素、ヘリウム、アルゴン、クリプトン、ネオンから選ばれた一種または複数種の気体が充填されていることを特徴とする発光装置。
【請求項１１】
第１の絶縁膜を形成する工程と、
前記第１の絶縁膜上に、第１の電極を形成する工程と、
前記第１の電極と接続する第２の電極、および、前記第２の電極上に、前記第２の電極の外側に端部が位置するように第２の絶縁膜を形成する工程と、
前記第２の電極および前記第２の絶縁膜を形成する工程の後、有機化合物層を形成する工程と、
前記有機化合物層上に、第３の電極を形成する工程とを有する発光装置の作製方法。
【請求項１２】
第１の絶縁膜を形成する第１の工程と、
前記第１の絶縁膜上に、第１の電極を形成する第２の工程と、
導電膜と、前記導電膜とエッチングの選択比がとれる材料による膜を形成し、レジストパターンを形成し、前記レジストパターンに従って前記導電膜と、前記導電膜とエッチング選択比がとれる材料による膜とをエッチングし、前記レジストパターンをそのまま残して、前記導電膜のみをさらにエッチングし、前記第１の電極と接続する第２の電極を形成する工程と、
前記第２の電極を形成する工程の後、有機化合物層を形成する工程と、
前記有機化合物層上に、第３の電極を形成する工程とを有する発光装置の作製方法。